(57)【要約】      （修正有）【課題】セルフタイマーモードの場合に、ＮＦＣ接触時に自動的に通信を確立し、リモートビューファインダー状態に移行することで、すぐに撮影を開始することができる撮像装置を提供する。【解決手段】ＮＦＣによる通信機能を有した撮像装置１００において、ＮＦＣアクティブタグ装置へのリクエストを検出するＮＦＣリクエスト検出手段と、撮像装置のモードを切り替えるモード設定手段と、ＮＦＣ装置へのリクエストを行った装置との情報通信を行う情報通信手段と、ＮＦＣアクティブタグ装置へのリクエストがなされたタイミングを検出するＮＦＣリクエストタイミング検出手段と、撮像素子から取得した動画像を、ＮＦＣ装置へのリクエストを行った装置に送付するリモートビュー手段とを備える。【選択図】図１
2015154225.tif 000002
【特許請求の範囲】
【請求項１】
ＮＦＣ（Ｎｅａr  Ｆｉｅｌｄ  Ｃｏｍｍｕｎｉｃａｔｉｏｎ）による通信機能を有した撮像装置において、
ＮＦＣアクティブタグへのリクエストを検出するＮＦＣリクエスト検出手段と、
前記撮像装置のモードを切り替えるモード設定手段と、
前記撮像装置と、前記ＮＦＣアクティブタグへのリクエストを行った装置との通信を行う通信手段と、
前記ＮＦＣリクエスト検出手段によって、ＮＦＣアクティブタグへのリクエストがなされたタイミングを検出するＮＦＣリクエストタイミング検出手段と、
前記通信手段において前記撮像装置の撮像素子から取得した動画像を、前記ＮＦＣアクティブタグへのリクエストを行った装置に送付するリモートビュー手段とを有し、
前記ＮＦＣアクティブタグへのリクエストがなされたタイミングにおいて、前記撮像装置のモードが、セルフタイマーモードであった場合には、前記リモートビュー手段を実行することを特徴とする撮像装置。
【請求項２】
前記リモートビュー手段は、前記撮像装置のモードが三脚モードである場合に、前記ＮＦＣアクティブタグへのリクエストがなされたタイミングにおいて、前記リモートビュー手段を実行することを特徴とする請求項１に記載の撮像装置。
【発明の詳細な説明】
【技術分野】
【０００１】
本発明は、ＮＦＣアクティブタグを備えたデジタルスチルカメラ等の撮像装置に関し、ＮＦＣアクティブタグへのリクエストがなされたタイミングにおいて撮像装置がセルフタイマーモードであった場合の処理に関する。
【背景技術】
【０００２】
撮像装置を三脚などに固定して、セルフタイマーやリモコンによってシャッター操作を行う場合に、撮像装置のＥＶＦ画像を、スマートフォンなどに送付して、スマートフォンの表示パネルを見ながら、撮像装置のシャッターチャンスを伺う機能を有した撮像装置がある。以下、この撮像装置のＥＶＦ画像をスマートフォンの表示パネルに表示する機能をリモートビューファインダー機能を呼ぶ。
【０００３】
しかしながら、リモートビューファインダー機能を使用するには、無線通信の接続を確立する必要があり、ＩＤやパスワードなどの煩雑な設定を行う必要がある。結果、シャッターチャンスを逃してしまうことがある。
【０００４】
一方、このような問題に対して、過去に接続した実績のある機器同士であれば自動的に無線通信を確立したり、特許文献１に記載の撮像装置は、ＮＦＣアクティブタグへのタッチ操作の仕方に応じて、ＮＦＣの通信の方法を切り替えることで、撮像装置とスマートフォンとの通信を容易に行えるようにしている。
【先行技術文献】
【特許文献】
【０００５】
【特許文献１】特開2012-165379号公報
【発明の概要】
【発明が解決しようとする課題】
【０００６】
特許文献１ではＮＦＣアクティブタグへのタッチ操作の仕方に応じて、ＮＦＣの通信の方法を切り替えている。しかしながら、撮像装置とスマートフォンとの無線接続は確立されるが、リモートビューファインダー機能までを行うわけではない。その結果、ユーザーはリモートビューファインダー機能までの設定を行う必要があり、その間に、シャッターチャンスを逃してしまうことになりかねない。
【０００７】
本発明は、上記課題に鑑みてなされたものであり、セルフタイマーモードの場合に、ＮＦＣ接触時に自動的に通信を確立し、リモートビューファインダー状態に移行することで、わずらわしい操作を行うことなく、リモートビューファインダー機能を確立できるので、すぐに撮影を開始することができる撮像装置を提供することである。
【課題を解決するための手段】
【０００８】
本発明の撮像装置は、ＮＦＣ（Ｎｅａr  Ｆｉｅｌｄ  Ｃｏｍｍｕｎｉｃａｔｉｏｎ）による通信機能を有した撮像装置において、
ＮＦＣアクティブタグへのリクエストを検出するＮＦＣリクエスト検出手段と、
前記撮像装置のモードを切り替えるモード設定手段と、
前記撮像装置と、前記ＮＦＣアクティブタグへのリクエストを行った装置との通信を行う通信手段と、
前記ＮＦＣリクエスト検出手段によって、ＮＦＣアクティブタグへのリクエストがなされたタイミングを検出するＮＦＣリクエストタイミング検出手段と、
前記通信手段において前記撮像装置の撮像素子から取得した動画像を、前記ＮＦＣアクティブタグへのリクエストを行った装置に送付するリモートビュー手段とを有し、
前記ＮＦＣアクティブタグへのリクエストがなされたタイミングにおいて、前記撮像装置のモードが、セルフタイマーモードであった場合には、前記リモートビュー手段を実行することを特徴としている。
【発明の効果】
【０００９】
本発明によれば、セルフタイマーモードの場合に、ＮＦＣ接触時に自動的に通信を確立し、リモートビューファインダー状態に移行することで、わずらわしい操作を行うことなく、リモートビューファインダー機能を確立し、すぐに撮影を開始することが可能となる。
【図面の簡単な説明】
【００１０】
【図１】本発明の実施例に係るブロック図
【図２】本発明の実施例に係るフローチャート
【発明を実施するための形態】
【００１１】
［第１の実施例］
以下、図面を参照して本発明を実施するための実施例について詳細に説明する。
【００１２】
図１は、本発明を実施するための基本構成を示すブロック図である。図１に示すように、撮像装置１００には動作を制御するためのＣＰＵ（中央演算装置）１０１が備えられている。ＣＰＵ１０１は撮影レンズ１０３のフォーカスやズームなどを制御したり、撮影レンズ１０３によって結像された被写体像を撮像する撮像回路１０４からの画像データを処理したりするものである。撮像回路１０４は、図示しない絞り機構、ＣＣＤあるいはＣＭＯＳなどの撮像素子、光学系駆動回路、アナログ信号処理回路、デジタル信号処理回路等で構成されており、静止画や動画を撮影することができる。
【００１３】
また、表示部１０５に撮影画像を表示させる動作を制御するものである。また、メモリ１０６はＲＯＭ、ＲＡＭなどの内部メモリで、撮像装置の動作を制御するプログラムや補正値等が記憶されている。本実施形にて動画データを一時的に記録しておくメモリもここに含まれている。さらには、モード切り替えＳＷ（スイッチ）１０７からの情報に応じて、撮像装置のモードを判別するためのモード回路１０２がある。撮像装置１００のモードには、ＥＶＦモードといわれるファインダー機能として、表示部１０５にスルー画像を表示させて撮影する被写体を確認するモードや、記録した静止画や動画を再生する再生モード、シャッターボタンを押してから設定時間が経過した後に自動的に画像を撮影するセルフタイマーモードなどがある。ここで、スルー画像とは、静止画を撮影する前後において、撮像素子によって撮像された動画像のことをいう。
【００１４】
また、記録媒体１０８は、動画データや静止画データを最終的に記録しておく記録媒体である。記録媒体としては例えば、ＳＤカードやＩＣカードなど、着脱自在な可搬型メモリを含む構成であってもよいし、ネットワーク上のサーバにあるものでもよい。
【００１５】
さらには、他の機器との情報を無線通信によってやり取りすることができるＷｉｆｉなどで構成される無線回路１０９がある。また、無線回路１０９よりも近距離の場合に通信ができるＮＦＣ（Ｎｅａｒ  Ｆｉｅｌｄ  Ｃｏｍｍｕｎｉｃａｔｉｏｎ）アクティブタグで構成されるＮＦＣアクティブタグ１１０を備えている。ＮＦＣアクティブタブ１１０は、撮像装置１００のＣＰＵ１０１へのアクセスも可能である。
【００１６】
一方、撮像装置１００との通信を行う機器としては、スマートフォンを用いて説明する。スマートフォン２００は、スマートフォン２００の動作を制御するためのＣＰＵ（中央演算装置）２０１が備えられている。ＣＰＵ２０１は、図示しない通話等の機能を処理したりするもので構成されている。また、表示部２０５は、スマートフォン２００自体の情報を表示したり、撮像装置１００から受信した情報を表示するものである。さらには、他の機器との情報を無線通信によってやり取りすることができるＷｉｆｉなどで構成される無線回路２０９がある。また、ＮＦＣアクティブタグ１１０が近距離になったときに、ＮＦＣアクティブタグ１１０と通信ができるＮＦＣリーダー２１０を備えている。
【００１７】
図２は、本発明の実施例に係るフローチャートである。撮像装置１００のモード切り替えスイッチ１０７において、セルフタイマーモードに切り替えられると、ＣＰＵ１０１内のモード回路１０２がセルフタイマーモードに移行する（S101）。
【００１８】
次に、ＮＦＣリーダー２１０からＮＦＣアクティブタグ１１０へのリクエストがあるか否かを検出する（S102）。ここで、ＮＦＣアクティブタグ１１０のリクエストの検出方法について説明する。ＮＦＣリーダー２１０は、図示しないが、リクエストを送信する送信機を含む。上記リクエストは、リクエスト識別子を伝えるための識別子セクションを含む所定のフォーマットに従って形成されＮＦＣデータ交換フォーマット（ＮＤＥＦ）の構造から成る。
【００１９】
一方、ＮＦＣアクティブタグ１１０は、ＮＦＣリーダー２１０から送信されるＮＤＥＦを含む電波信号を受信することができる受信機を含む。ＮＦＣアクティブタグ１１０は受信したＮＤＥＦ信号をＣＰＵ１０１によって複調することにより、リクエストを検出する。ＮＦＣアクティブタグ１１０は、撮像装置１００のＣＰＵ１０１へのアクセスも可能なので、例えば、撮像装置１００の電源がＯＦＦされていた場合にも、ＮＦＣアクティブタグ１１０がリクエストを検出した場合は、ＣＰＵ１０１を電源ＯＮにする制御を行うことで、撮像装置１００の電源をＯＮすることも可能である。
【００２０】
次に、ＮＦＣアクティブタグ１１０へのリクエストが検出されなかった場合には、モード回路１０２においてセルフタイマー機能が実行されたかを検出する（S108）。一方、セルフタイマー機能が実行された場合は、セルフタイマー機能の設定に基づいて撮影動作を行う（S109）。一方、セルフタイマー機能が実行されない場合は、再びＮＦＣアクティブタグ１１０へのリクエストがあるかを検出する。次に、スマートフォン２００のＮＦＣリーダー２１０と、撮像装置１００のＮＦＣアクティブタグ１１０が近接状態になり、ＮＦＣアクティブタグ１００へのリクエストが検出された場合には、スマートフォン２００と撮像装置１００との無線通信を確立する（S103）。  ここで、スマートフォン２００と撮像装置１００とのＩＤやパスワードのデータのやり取りはＮＦＣで行ってもよい。過去に無線通信を行ったことがあったり、予め登録している機器同士の場合は、無線通信に関わる設定を省いてもよい。
【００２１】
次に、撮像装置１００の撮影レンズ１０３によって結像された被写体像を撮像した撮像回路１０４からのデータを、ＣＰＵ１０１にてスルー画像として処理した画像データを無線回路１０９を介してスマートフォン２００の無線回路２０９へ送付する（S104）。スマートフォン２００では、ＣＰＵ２０１において、無線回路２０９で受信した画像データを表示部２０５に、撮像装置１００のリモートビューファインダー画像として表示する（S105）。
【００２２】
次に、ユーザーはスマートフォン２００の表示部２０５を見ながら被写体の状態を確認する（S106）。そして、スマートフォン２００の図示しない操作部材によって、撮像装置１００の撮影レンズ１０３のズーム動作などを無線通信機能を用いて行う。さらには、セルフタイマー設定やリモートビューシャッターの設定を同じく無線通信機能によって実行させて撮影動作を行い記録媒体１０８に記録する（S107）。
【００２３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００２４】
リモートビューファインダー機能を自動で確立するのは、ＮＦＣアクティブタグへのリクエストがあったタイミングの撮像装置のモードがセルフタイマーモード時に限らなくてもよい。例えば、ユーザーがリモートビューファインダー機能を使用する可能性が高い、三脚モードの場合などにもＮＦＣアクティブタグへのリクエストがあった場合に、無線通信を確立しリモートビューファインダー機能に移行することによって、よりユーザーが複雑な操作を行うことなく、リモートビューファインダー機能を使うことができるシーンが増える。さらには、リモートビューファインダー機能の確立までを自動で行わなくても、無線通信の確立までを行ってリモートビューファインダー機能まで行うかをユーザーに選択させるようにしてもよい。その場合も、ユーザーが複雑な操作を行うことなく、リモートビューファインダー機能を使うことができることになる。
【符号の説明】
【００２５】
１００．撮像装置
１０１．ＣＰＵ
１０２．モード回路
１０３．撮像レンズ
１０４．撮像回路
１０５．表示部
１０６．メモリ
１０７．モード切り替えスイッチ
１０８．記録媒体
１０９．無線回路
１１０．ＮＦＣアクティブタグ回路
２００．スマートフォン
２０１．ＣＰＵ
２０５．表示部
２０９．無線回路
２１０．ＮＦＣリーダー
【図１】
2015154225.tif 000003
【図２】
2015154225.tif 000004